(57)【特許請求の範囲】
【請求項１】
保持体の支持壁部に対して被保持体を結束バンドにより結束固定する、結束バンドの取付構造であって、
前記保持体の前記支持壁部と該支持壁部に交わる側壁部に跨って開口する凹所部と、
前記凹所部の側壁部開口と対向する底面から前記側壁部開口に向かって片持ち状に突出する係止突起が設けられており、
前記被保持体の周囲にリング状に配設された前記結束バンドのバンド本体が、前記側壁部開口から前記凹所部に挿し入れられて前記係止突起に係止された状態で、前記被保持体と共に前記結束バンドが締め付けられている
ことを特徴とする結束バンドの取付構造。
【請求項２】
前記係止突起の突出先端部に抜止突部が設けられている請求項１に記載の結束バンドの取付構造。
【請求項３】
前記側壁部が、相互に異なる方向に延出する第一側壁部と第二側壁部を有しており、前記凹所部が、前記第一側壁部と前記第二側壁部の両方に跨って開口している請求項１又は２に記載の結束バンドの取付構造。
【発明の詳細な説明】
【技術分野】
【０００１】
本発明は、結束バンドにより被保持体を保持体に結束固定するための、結束バンドの取付構造に関する。
【背景技術】
【０００２】
従来から、自動車に配索されるワイヤハーネス等の被保持体を、電気接続箱やブラケット等の保持体に取り付ける際に、結束バンドにより被保持体を保持体の支持壁部に結束固定する取付構造が広く採用されている。このような結束バンドの取付構造として、例えば、特開２００８−２３２２２２号公報（特許文献１）に記載のものが知られている。具体的には、保持体としての電気接続箱の支持壁部に２つの挿通穴を設け、一方の穴から挿し入れた結束バンドの先端部を他方の穴から引き出すことにより、結束バンドを保持体の支持壁部に係止させ、被保持体としてのワイヤハーネスと共に結束バンドを締め付けることにより、ワイヤハーネスが結束バンドにより電気接続箱に固定的に取り付けられるようになっている。
【０００３】
ところが、保持体の支持壁部に設けられた２つの挿通穴の一方から挿し入れた結束バンドの先端部を他方から引き出す作業は、結束バンドの先端部を所望の方向に湾曲させる必要があり、非常に煩雑で作業時間を要するという問題があった。
【０００４】
これに対して、特許文献１の図５や、特開２０１３−２１８２８号公報（特許文献２）には、保持体の支持壁部に設けた一方の挿通穴の内方に、結束バンドの先端部を他方の挿通穴へ向かって突出するように案内するガイド壁を設けて、結束バンドの先端部を確実に他方の挿通穴に向けて案内して、作業性の向上を図ることがなされている。
【０００５】
しかしながら、保持体の支持壁部の奥方にこのようなガイド壁を設けることは、保持体の構造が複雑になり、製造コストが嵩むという問題を内在していた。さらに、剛性のある結束バンドを湾曲させるためには、特許文献１の如く２つの挿通穴の離隔距離をある程度長く確保したり、特許文献２の如く、ガイド壁の湾曲案内面の長さを長く確保する必要がある。従って、何れの場合も取付構造の大型化が避けられず、保持体に大きなスペースが確保できない場合には、ガイド壁を設けることができず、未だ改良の余地があった。
【先行技術文献】
【特許文献】
【０００６】
【特許文献１】特開２００８−２３２２２２号公報
【特許文献２】特開２０１３−２１８２８号公報
【発明の概要】
【発明が解決しようとする課題】
【０００７】
本発明は、上述の事情を背景に為されたものであって、その解決課題は、大きなスペースを要することなく、簡単な構造で保持体の支持壁部に結束バンドを容易に取り付けることができる、新規な結束バンドの取付構造を提供することにある。
【課題を解決するための手段】
【０００８】
本発明の第一の態様は、保持体の支持壁部に対して被保持体を結束バンドにより結束固定する、結束バンドの取付構造であって、前記保持体の前記支持壁部と該支持壁部に交わる側壁部に跨って開口する凹所部と、前記凹所部の側壁部開口と対向する底面から前記側壁部開口に向かって片持ち状に突出する係止突起が設けられており、前記被保持体の周囲にリング状に配設された前記結束バンドのバンド本体が、前記側壁部開口から前記凹所部に挿し入れられて前記係止突起に係止された状態で、前記被保持体と共に前記結束バンドが締め付けられていることを特徴とする。
【０００９】
本態様によれば、保持体の支持壁部と側壁部に跨って開口する凹所部を設け、かかる凹所部内に係止突起を突設するという簡単な構造により、結束バンドの保持体への係止部を構成することができる。従って、従来構造の如き、保持体の支持壁部の内部にガイド壁を設ける構造に比して、構造を簡素化でき製造性の向上やコストの低減を図ることができる。
【００１０】
しかも、結束バンドが係止される係止突起は、凹所部の開口を通じて外部に露呈されていることから、係止突起の視認性が確保されてアクセスが容易である。従って、従来構造の如き保持体の支持壁部に設けられた２つの挿通穴に目視確認できない状態で結束バンドの挿し入れを行う場合に比して、確実且つ速やかに結束バンドを係止突起に係止させることができ、取付作業性の向上を図ることができる。
【００１１】
加えて、結束バンドを係止させる係止突起は、支持壁部と側壁部に開口する凹所部に突設されていることから、被保持体の周囲に結束バンドをリング状に配設した状態で、凹所部の開口幅の大きさになるよう予め湾曲させたバンド本体を側壁部開口から挿し入れて係止突起に係止させることができる。従って、結束バンドを湾曲させるために大きなスペースを確保する必要がなく、狭小エリアにも結束バンドの取付構造を設けることができるのである。このように係止突起に係止させた結束バンドを被保持体と共に結束することで、容易且つ良好な作業性やスペース効率をもって、保持体に対して被保持体が結束バンドにより固定的に取り付けられるのである。
【００１２】
本発明の第二の態様は、前記第一の態様に記載のものにおいて、前記係止突起の突出先端部に抜止突部が設けられているものである。
【００１３】
本態様によれば、係止突起の突出先端部に抜止突部が設けられていることから、車両振動等により、結束バンドが係止突起の先端側に変位される場合があっても、係止突起に結束バンドが干渉することにより、結束バンドの係止突起からの抜け出しが防止され、被保持体の保持体からの離脱が未然に防止できる。
【００１４】
本発明の第三の態様は、前記第一又は第二の態様に記載のものにおいて、前記側壁部が、相互に異なる方向に延出する第一側壁部と第二側壁部を有しており、前記凹所部が、前記第一側壁部と前記第二側壁部の両方に跨って開口しているものである。
【００１５】
本態様によれば、凹所部が異なる２方向に延出する第一側壁部と第二側壁部の両方に跨って開口していることから、係止突起の視認性やアクセス性が一層向上され、係止突起への結束バンドの係止作業を一層速やか且つ確実に行うことができる。
【発明の効果】
【００１６】
本発明によれば、保持体の支持壁部と側壁部に跨って開口する凹所部を設け、かかる凹所部内に係止突起を突設するという簡単な構造により、結束バンドの保持体への係止部を構成できる。それ故、従来構造の如きガイド壁を設ける構造に比して、構造を簡素化でき製造性の向上やコストの低減を図ることができる。しかも、結束バンドが係止される係止突起は、凹所部の開口を通じて外部に露呈されていることから、係止突起の視認性が確保されてアクセスが容易である。加えて、被保持体の周囲に結束バンドをリング状に配設した状態で、バンド本体を側壁部開口から挿し入れて係止突起に係止させることができる。それ故、狭小エリアにも結束バンドの取付構造を設けることができる。
【図面の簡単な説明】
【００１７】
【図１】本発明の一実施形態としての結束バンドの取付構造が適用された電気接続箱を示す斜視図。
【図２】図１に示した結束バンドの結束前の拡大斜視図。
【図３】図１に示した係止突起を所定の位置から見た拡大図（（ａ）Ａ矢視図、（ｂ）Ｂ矢視図）。
【図４】本発明の他の実施形態としての電気接続箱を所定の位置から見た、図３に相当する図（（ａ）Ａ矢視図、（ｂ）Ｂ矢視図）。
【発明を実施するための形態】
【００１８】
以下、本発明の実施形態について、図面を参照しつつ説明する。
【００１９】
図１〜３に、本発明の一実施形態としての結束バンドの取付構造を用いて、保持体たる電気接続箱１０の後述する支持壁部２４に対して被保持体たるワイヤハーネス１２を結束バンド１４により結束固定する構造が示されている。図１に示されているように、電気接続箱１０は、略ブロック形状のケース１６内に図示しない種々の電気部品やバスバーやコネクタ等が配設されて構成されている。そして、取付脚部１８がこのケース１６の外面の２箇所から外方に延び出して形成されており、取付脚部１８に貫設されたボルト挿通孔２０に図示しない固定用ボルトを取り付けることにより、車両等に固定されるようになっている。ここで、ケース１６と取付脚部１８は、例えばポリプロピレン（ＰＰ）、ポリアミド（ＰＡ）等の合成樹脂により射出成形等によって一体形成されている。
【００２０】
図１に示されているように、電気接続箱１０のケース１６の一角が略ブロック形状に切り欠かれて、凹所部２２が形成されている。すなわち、凹所部２２は、電気接続箱１０のケース１６において、ワイヤハーネス１２が押し付けられて支持される支持壁部２４と、支持壁部２４と交わる側壁部２６に跨って開口するように構成されているのである。ここで、側壁部２６は、相互に異なる方向に延出する第一側壁部２６ａと第二側壁部２６ｂを含んで構成されている。要するに、凹所部２２は、支持壁部２４に加えて、第一側壁部２６ａと第二側壁部２６ｂの両方に跨って開口しているのである。
【００２１】
また、図１及び図３に示されているように、凹所部２２には、凹所部２２の側壁部開口、例えば第一側壁部２６ａの開口２８、と対向する底面３０の中央部から開口２８に向かって片持ち状に突出する略柱形状の係止突起３２が設けられている。さらに、係止突起３２の突出先端部には抜止突部３４が設けられており、基端部よりも拡幅されたブロック形状とされている。なお、係止突起３２は、その突出先端部が第一側壁部２６ａの開口２８近傍に位置し且つ第一側壁部２６ａを越えて外方に突出しないように形成されている。
【００２２】
上述の如き構造とされた電気接続箱１０に対して、ワイヤハーネス１２が、本実施形態の結束バンドの取付構造に従い、結束バンド１４を用いて、結束固定される。より詳細には、結束バンド１４は、図２に示されているように、長方形断面の細長い平板形状とされたバンド本体３６を備えており、このバンド本体３６の長さ方向一方の端部に挿通係止部３８が一体形成されている。周知のとおり、結束バンド１４は合成樹脂材料で一体成形されており、バンド本体３６が湾曲変形可能となっている。また、バンド本体３６には、厚さ方向の一方となる片面において、鋸歯状の突起４０がバンド本体３６の長手方向に多数並んで形成されている。
【００２３】
また、結束バンド１４の挿通係止部３８には、挿通孔４２が形成されていると共に、この挿通孔４２の内部に突出して係止片４４が設けられている。そして、バンド本体３６をリング状に湾曲させて先端部を挿通孔４２に挿し入れることにより、バンド本体３６の突起４０に対して係止片４４が係止されるようになっている。
【００２４】
従って、まず結束バンド１４のバンド本体３６をワイヤハーネス１２の周囲にリング状に配設した後、第一側壁部２６ａの開口２８から凹所部２２に挿し入れる。次に、結束バンド１４のバンド本体３６を、係止突起３２の基端部に係止した状態で、結束バンド１４を締め付ける。これにより、ワイヤハーネス１２と共に結束バンド１４が締め付けられて、保持体たる電気接続箱１０の支持壁部２４に対して被保持体たるワイヤハーネス１２が結束バンド１４により結束固定されるようになっているのである。
【００２５】
このような本実施形態に従う結束バンドの取付構造によれば、電気接続箱１０の支持壁部２４と側壁部２６に跨って開口する凹所部２２を設け、かかる凹所部２２内に係止突起３２を突設するという簡単な構造により、結束バンド１４の電気接続箱１０への係止部としての係止突起３２を構成することができる。それ故、従来構造の如きガイド壁を設けるような構造に比べて、構造を簡素化でき製造性の向上やコストの低減を図ることができるのである。
【００２６】
しかも、結束バンド１４が係止される係止突起３２は、凹所部２２の開口を通じて外部に露呈されていることから、係止突起３２の視認性が確保されてアクセスが容易となる。それ故、従来構造の如き保持体の支持壁部に設けられた２つの挿通穴に目視確認できない状態で結束バンドの挿し入れを行う場合に比べて、確実且つ速やかに結束バンド１４を係止突起３２に係止させることができ、取付作業性の向上を図ることができる。
【００２７】
さらに、係止突起３２の突出先端部に抜止突部３４が設けられていることから、車両振動等により、結束バンド１４が係止突起３２の先端側に変位される場合があっても、抜止突部３４に結束バンド１４が干渉することにより、結束バンド１４の係止突起３２からの抜け出しが防止されるので、ワイヤハーネス１２の電気接続箱１０からの離脱が未然に防げるのである。
【００２８】
加えて、結束バンド１４を係止させる係止突起３２は、支持壁部２４と側壁部２６に開口する凹所部２２に突設されていることから、ワイヤハーネス１２の周囲に結束バンド１４をリング状に配設した状態で、凹所部２２の開口幅の大きさになるよう予め湾曲させたバンド本体３６を第一側壁部２６ａの開口２８から挿し入れて係止突起３２に係止させることができる。それ故、結束バンド１４を湾曲させるために大きなスペースを確保する必要がなく、狭小エリアにも結束バンドの取付構造を設けることができるのである。このように係止突起３２に係止させた結束バンド１４をワイヤハーネス１２と共に結束することにより、容易且つ良好な作業性やスペース効率をもって、電気接続箱１０に対してワイヤハーネス１２が結束バンド１４により固定的に取り付けられるのである。
【００２９】
さらに、凹所部２２が異なる２方向に延出する第一側壁部２６ａと第二側壁部２６ｂの両方に跨って開口していることから、係止突起３２の視認性やアクセス性が一層向上され、係止突起３２への結束バンド１４の係止作業を一層速やか且つ確実に行うことができる。
【００３０】
次に、図４を用いて、本発明の他の実施形態としての電気接続箱５０について詳述するが、上記実施形態と同様な構造とされた部材および部位については、図中に、上記実施形態と同一の符号を付することにより、それらの詳細な説明を省略する。すなわち、かかる電気接続箱５０は、（ｉ）凹所部５２において、第二側壁部２６ｂに対する開口部が、第二側壁部２６ｂから延出された延出壁部５４によって塞がれている点に関して、上記実施形態と異なる実施形態を示すものである。
【００３１】
本実施形態としての電気接続箱５０においても、上記実施形態の電気接続箱１０と同様に、本発明の結束バンドの取付構造を有利に適用できる。より詳細には、図１及び図４に示されているように、まず結束バンド１４のバンド本体３６をワイヤハーネス１２の周囲にリング状に配設した後、第一側壁部２６ａの開口２８から凹所部５２に挿し入れる。次に、結束バンド１４のバンド本体３６を、係止突起３２の基端部に係止した状態で、結束バンド１４を締め付ける。これにより、ワイヤハーネス１２と共に結束バンド１４が締め付けられて、保持体たる電気接続箱５０の支持壁部２４に対して被保持体たるワイヤハーネス１２が結束バンド１４により結束固定される。
【００３２】
ここで、本実施形態では、電気接続箱５０の支持壁部２４とそれに交わる１つの第一側壁部２６ａのみに凹所部５２が開口している。これにより、凹所部５２はもう１つの第二側壁部２６ｂの延出壁部５４によってカバーされることになることから、係止突起３２に係止するバンド本体３６等が他部材と干渉することを有利に防止できるようになるのである。
【００３３】
以上、本発明の実施形態について詳述したが、本発明はその具体的な記載によって限定されない。例えば、本発明の結束バンドの取付構造は、電気接続箱１０，５０の他、電線保持ブラケットやプロテクタやクリップ等、結束バンド１４が装着される保持体に対して、被保持体を結束固定するものであればいずれも同様に適用可能である。
【符号の説明】
【００３４】
１０，５０：電気接続箱（保持体）、１２：ワイヤハーネス（被保持体）、１４：結束バンド、２２，５２：凹所部、２４：支持壁部、２６：側壁部、２６ａ：第一側壁部、２６ｂ：第二側壁部、２８：開口（側壁部開口）、３０：底面、３２：係止突起、３４：抜止突部、３６：バンド本体
【図１】
0005910581.tif 000002
【図２】
0005910581.tif 000003
【図３】
0005910581.tif 000004
【図４】
0005910581.tif 000005